(57)【要約】  複数の利用可能な公衆陸上移動体ネットワーク（ＰＬＭＮ）から一つのＰＬＭＮを選択する方法、より詳細には本発明の一実施態様は、複数の利用可能なＰＬＭＮに関連する情報を、移動体ネットワークを介して送信する工程を含む。本方法は、複数の利用可能なＰＬＭＮに関連する情報を移動局において受信する工程と、上記受信する工程に応答して、複数の利用可能なＰＬＭＮから一つのＰＬＭＮを選択するための識別子を含む非アクセスストレータム（ＮＡＳ）シグナリングメッセージを移動体ネットワークに送信する工程とをさらに含む。
2007531359.tif 000002
【特許請求の範囲】
【請求項１】
複数の利用可能な公衆陸上移動体ネットワーク（ＰＬＭＮ）から一つのＰＬＭＮを選択する方法であって、
移動体ネットワークを介して前記複数の利用可能なＰＬＭＮに関連する情報を送信する工程と、
前記複数の利用可能なＰＬＭＮに関連する前記情報を移動局において受信する工程と、
前記受信する工程に応答して、前記複数の利用可能なＰＬＭＮから一つのＰＬＭＮを選択するための識別子を含む非アクセスストレータム（ＮＡＳ）シグナリングメッセージを、前記移動体ネットワークに送信する工程と、
を含む方法。
【請求項２】
前記識別子は、前記ＮＡＳシグナリングメッセージ内のスキップ指示子において数値として符号化される、請求項１に記載の方法。
【請求項３】
前記スキップ指示子は４ビットの長さを含む、請求項２に記載の方法。
【請求項４】
前記識別子は、前記複数の利用可能なＰＬＭＮから選択された前記ＰＬＭＮの識別に関連する情報を含む、請求項２に記載の方法。
【請求項５】
前記情報は前記複数の利用可能なＰＬＭＮの一覧を含む、請求項１に記載の方法。
【請求項６】
前記情報は報知チャネル（ＢＣＣＨ）を介して前記ＭＳに送信される、請求項５に記載の方法。
【請求項７】
前記情報はシグナリングを介して前記ＭＳに直接、送信される、請求項５に記載の方法。
【請求項８】
前記移動体ネットワークはＧＳＭネットワークを含む、請求項１に記載の方法。
【請求項９】
前記移動体ネットワークはＵＭＴＳネットワークを含む、請求項１に記載の方法。
【請求項１０】
前記ＮＡＳシグナリングメッセージはロケーション更新要求メッセージである、請求項１に記載の方法。
【請求項１１】
前記ＮＡＳシグナリングメッセージはアタッチ要求メッセージである、請求項１に記載の方法。
【請求項１２】
前記ＮＡＳシグナリングメッセージはルーティングエリア更新要求メッセージである、請求項１に記載の方法。
【請求項１３】
複数の利用可能な公衆陸上移動体ネットワーク（ＰＬＭＮ）から一つのＰＬＭＮを選択する無線装置であって、
無線ネットワークから前記複数の利用可能なＰＬＭＮに関連する情報を受信するための無線受信機と、
前記複数の利用可能なＰＬＭＮから一つのＰＬＭＮを選択するための識別子を含む非アクセスストレータム（ＮＡＳ）シグナリングメッセージを、前記移動体ネットワークに送信するための送信機と、
を含む無線装置。
【請求項１４】
前記識別子は、前記ＮＡＳシグナリングメッセージ内のスキップ指示子において数値として符号化される、請求項１３に記載の無線装置。
【請求項１５】
前記スキップ指示子は４ビットの長さを含む、請求項１４に記載の無線装置。
【請求項１６】
前記識別子は、前記複数の利用可能なＰＬＭＮから選択された前記ＰＬＭＮの識別に関連する情報を含む、請求項１４に記載の無線装置。
【請求項１７】
前記情報は前記複数の利用可能なＰＬＭＮの一覧を含む、請求項１４に記載の無線装置。
【請求項１８】
前記無線装置は移動局である、請求項１４に記載の無線装置。
【発明の詳細な説明】
【技術分野】
【０００１】
発明の背景
技術分野
本発明は、一般的にはディジタル無線通信に関し、これに限定されるものではないが、特には、複数の公衆陸上移動ネットワーク（ＰＬＭＮ）から一つのＰＬＭＮを移動局により選択するための方法、装置、およびシステムに関する。
【背景技術】
【０００２】
関連技術の歴史
最も広く用いられているディジタル無線通信標準の一つは、欧州電気通信標準化機構により開発されたグローバル移動体通信システム（ＧＳＭ）標準である。ＧＳＭ標準は時分割多重アクセス（ＴＤＭＡ）技術を利用する。ＧＳＭ準拠の無線通信システムは基地局サブシステム（ＢＳＳ）を含む。ＢＳＳは、通常、加入者の移動局（ＭＳ）からの無線周波数（ＲＦ）信号を送受信する複数のベーストランシーバ基地局（ＢＴＳ）と、無線リソースを管理するとともにＢＴＳから／への信号をルーティングするための少なくとも一つの基地局制御装置（ＢＳＣ）とを含む。
【０００３】
汎用移動体電話サービス（ＵＭＴＳ）標準は、最近開発された広帯域符号分割多重アクセス（Ｗ−ＣＤＭＡ）技術を採用している。ＵＭＴＳ準拠のシステムは、通常、コアネットワーク（ＣＮ）と、陸上ベース部分を含むＵＭＴＳ無線アクセスネットワーク（ＵＲＡＮ）とを含む。無線アクセスネットワーク（ＲＡＮ）の陸上ベース部分は、しばしば、ＵＭＴＳ陸上無線アクセスネットワーク（ＵＴＲＡＮ）と呼ばれ、ＧＳＭネットワークのＢＳＣおよびＢＴＳに類似した機能をそれぞれ有する無線ネットワーク制御装置（ＲＮＣ）と基地局（ＢＳ）とを含む。
【０００４】
公衆陸上移動ネットワーク（ＰＬＭＮ）エリアは、特定のオペレータがユーザに移動通信サービスを提供する地理的なエリアである。ＰＬＭＮエリア内の任意の場所から、ユーザは、同じ移動体ネットワークの別のユーザへの、または別の移動体ネットワークのユーザへの呼を設定することができる。既存の標準は、移動局（ＭＳ）が、移動体ネットワークにより送信された報知チャネル（ＢＣＣＨ）の信号強度を測定することにより、該移動局をサーブする最良のＰＬＭＮを探し出すことを要求する。最新のシステムでは、移動体ネットワークの無線ネットワーク制御装置（ＲＮＣ）または基地局制御装置（ＢＳＣ）は、単一のＰＬＭＮに接続される。したがって、このようなシステムでは、ＢＣＣＨチャネルは単一のＰＬＭＮに関連する情報を含む。しかしながら、他のシステムでは、ＲＮＣ／ＢＳＣは、むしろ複数のＰＬＭＮに接続されることがある。したがって、ＢＣＣＨチャネルは、複数のＰＬＭＮに関連する情報を含むことがある。
【発明の開示】
【課題を解決するための手段】
【０００５】
発明の概要
複数の利用可能な公衆陸上移動体ネットワーク（ＰＬＭＮ）から一つのＰＬＭＮを選択する方法、より詳細には本発明の一実施態様は、移動体ネットワークを介して複数の利用可能なＰＬＭＮに関連する情報を送信する工程を含む。本方法は、さらに、複数の利用可能なＰＬＭＮに関連する情報を移動局において受信する工程と、上記受信する工程に応答して、複数の利用可能なＰＬＭＮから一つのＰＬＭＮを選択するための識別子を含む非アクセスストレータム（ＮＡＳ：Ｎｏｎ−Ａｃｃｅｓｓ−Ｓｔｒａｔｕｍ）シグナリングメッセージを、前記移動体ネットワークに送信する工程とを含む。
【０００６】
別の様相では、本発明の一実施態様は、複数の利用可能な公衆陸上移動体ネットワーク（ＰＬＭＮ）から一つのＰＬＭＮを選択する無線装置を含み、上記無線装置は、無線ネットワークから複数の利用可能なＰＬＭＮに関連する情報を受信するための無線受信機と、複数のＰＬＭＮから一つのＰＬＭＮを選択するための識別子を含む非アクセスストレータム（ＮＡＳ）シグナリングメッセージを移動体ネットワークに送信するための送信機とを含む。
【０００７】
本発明のより完全な理解は、添付図面と併せて、以下の本発明の例示的な実施形態の詳細な説明を参照することにより得られる。
【発明を実施するための最良の形態】
【０００８】
発明の例示的実施形態の詳細な説明
本発明の実施形態について、ここでは、添付の図面を参照し、さらに詳細に説明する。しかしながら、本発明は様々な様式で具現化することができ、本明細書に記載された実施形態に限定されるものではない。本発明は、ここに存在する特許請求の範囲およびその等価物によってのみ限定されると考えるべきである。
【０００９】
図１に、無線通信システム１００を図示する。システム１００は、無線アクセスネットワーク部分１７とコアネットワーク部分２１とを有するＧＳＭネットワーク１２を含む。無線アクセスネットワーク部分は、移動局（ＭＳ）１６から音声呼とデータ呼を送受信するための複数のベーストランシーバ基地局（ＢＴＳ）１４と、基地局制御装置（ＢＳＣ）１８とを含む。ＢＳＣ１８は、ＭＳ１６とコアネットワーク部分との間の通信処理を確立し、保持し、そして解放することにより無線リソースを管理する。各ＢＳＣ１８は、複数のＢＴＳ１４の少なくとも一つのＢＴＳ１４に接続される。
【００１０】
コアネットワーク部分（例えば、陸上ベースの有線部分）は、ネットワークの無線と有線部分間の音声呼を制御するための移動体交換局（ＭＳＣ）２０（例えば、第二世代、すなわち２Ｇ  ＭＳＣ）を含む。コアネットワーク部分は、サービングＧＰＲＳサポートノード（ＳＧＳＮ）またはＭＳＣ／ＳＧＳＮ  ２２（すなわち、ＳＧＳＮとＭＳＣの能力を有するコアネットワークノード）のような、別のコアネットワークノードを含むことができる。コアネットワークは、例えば音声呼を処理するための回線交換ドメインと、例えば電子メールメッセージやウェブブラウジングのような突発的高速データ転送をサポートするためのパケット交換ドメインとをさらに含む。
【００１１】
また、一般パケット無線サービス（ＧＰＲＳ）として周知のパケット交換部分は、本システムの音声部分のＭＳＣと類似する、ＭＳをサービングし追跡するためのサービングＧＰＲＳサポートノード（ＳＧＳＮ）と、パケット交換網と移動局間の接続を確立するためのゲートウェイＧＰＲＳサポートノード（ＧＧＳＮ）とを含む。ＳＧＳＮは、また、呼接続を確立し取り扱うために有用な加入者データを含むことができる。
【００１２】
ＭＳＣ２０は、ＭＳ１６のロケーションを一時的に格納するＶＬＲ（明示せず）に結合される。ＭＳ１６の詳細は、図３を参照して説明される。ＭＳＣ２０と、ＳＧＳＮまたはＭＳＣ／ＳＧＳＮ  ２２はホームロケーションレジスター（ＨＬＲ）２４に接続される。このホームロケーションレジスターは、加入者に利用可能なサービスと加入者のロケーション（すなわち、ＭＳＣ／ＶＬＲのアドレス）のような、加入者に特有のデータを含むデータベースを含む。ＳＧＳＮまたはＭＳＣ／ＳＧＳＮ  ２２は、また、他のパケットネットワークへアクセスするためのゲートウェイＧＰＲＳサポートノード（ＧＧＳＮ）２６に接続される。
【００１３】
図２に、ＭＳ１６のブロック図を図示する。ＭＳ１６は、例えば、セルラー電話またはパーソナル通信端末のような携帯型の無線電話であってよい。ＭＳ１６は、通常は、表示装置２０４の入力に結合された出力と、キーボードまたはキーパッド２０６に結合された入力とを有するマイクロコントローラユニット（ＭＣＵ）２０２のようなデータプロセッサを含む。ＭＣＵ２０２は、必要なデータを一時的に格納するためのランダムアクセスメモリ（ＲＡＭ）だけでなく、操作プログラムを格納するためのリードオンリーメモリ（ＲＯＭ）を含むある種の記憶装置（メモリ）２０８に結合される。個別の取外し可能なＳＩＭまたはＵＳＩＭ（図示せず）を、同じく、加入者関連情報を格納するために用意することができる。
【００１４】
通常、ＭＳ１６のＲＯＭは、表示装置２０４とキーパッド２０６を介し、適切なユーザインターフェース（ＵＩ）を提供するプログラムを格納する。図示しないが、ユーザが好都合に音声呼を行うことができるようにするためのマイクロホンとスピーカーが、通常は用意される。ＭＳ１６は、また、ともにアンテナ２１６に結合される送信機２１２と受信機２１４を含む無線トランシーバーだけでなく、ディジタル信号プロセサ（ＤＳＰ）２１０を含む無線部を含む。周波数合成器のような少なくとも一つの発振器２１８が、トランシーバーをチューニングするために用意される。
【００１５】
ＭＳ１６のＲＯＭは、ＭＳ１６がＧＳＭネットワーク内の一つのセルからＧＳＭネットワーク内の別のセルへのＭＳ１６のハンドオーバを受信し処理することを可能にするプログラムを格納する。このＲＯＭは、また、ＭＳ１６が例えばＵＭＴＳネットワークからＧＳＭネットワークのような別のネットワークへ移動することを可能にするシステム間変更メッセージを処理するプログラムを格納する。
【００１６】
ＧＳＭネットワークの導入により、有線電話サービスの概念は大幅に変化した。電話番号を特定の地理的なロケーションに割り当てる代わりに、ＧＳＭネットワークは、電話番号の割り当てを特定の加入者に教える。その結果、各加入者は加入者識別モジュール（ＳＩＭ）カードに関連付けられる。ＳＩＭカードを使用することにより、移動体電話加入者は取り外し可能な記憶ユニット内に必要な移動体電話加入者情報を格納し、その後、モジュールを任意の利用可能な移動局（ＭＳ）１６に自由に関連付けることができる。移動体電話加入者のＳＩＭカードをＭＳ１６内に挿入することにより、挿入されたＳＩＭカード内に格納された加入者情報は、移動体電話加入者の新しい端末に利用可能となる。
【００１７】
ＰＬＭＮロケーションエリアは、特定のＰＬＭＮオペレータが加入者に移動通信サービスを提供する地理的なエリアである。ＰＬＭＮエリア内のすべての無線送信機は、ＰＬＭＮがサーブするロケーションエリアを識別するコードを、制御チャネルを介して同報通信する。ＭＳ１６が発呼に携わっていないとき、ＭＳ１６は報知チャネル（ＢＣＣＨ）を自動的にスキャンし、最も強い信号を配信している特定のＰＬＭＮに関連するチャネルを選択する。
【００１８】
移動機へ発呼するために、例えばＧＳＭネットワークのような移動体ネットワークは、ＭＳ１６の移動にかかわらずＭＳ１６のロケーションを知らなければならない。このために、ＭＳ１６は、例えば、ロケーション更新要求メッセージ、アタッチ要求メッセージ、またはルーティングエリア更新要求メッセージを使用することにより、そのロケーションを移動体ネットワークに定期的に報告する。特に、ロケーション更新要求メッセージは、ＭＳ１６が、例えば、スイッチが切られていて、アクティブにしたい場合、またはアイドル状態の場合、または規則的な間隔後に実行される。
【００１９】
第３世代パートナーシッププロジェクト（３ＧＰＰ）仕様は、現在、ネットワーク共有を明示している。ネットワーク共有は、オペレータが移動体ネットワークを共有できるようにする。各オペレータはＰＬＭＮにより識別されるので、一つの移動体ネットワークは２つ以上のＰＬＭＮを持つことができる。したがって、移動体ネットワークからＭＳ１６にＢＣＣＨ上で送信される同報情報は、複数のＰＬＭＮに関連する情報を含むことができる。より具体的には、この情報は、例えば、同報通信情報のような複数の様々な方法でＭＳ１６によって受信され得るか、あるいはシグナリングを介してＭＳ１６に直接に送信され得るＰＬＭＮ一覧を含むことができる。ＭＳ１６は、ＰＬＭＮ一覧の利用可能な複数のＰＬＭＮから一つのＰＬＭＮを選択するように義務付けられる。複数の利用可能なＰＬＭＮから一つのＰＬＭＮを選択するこの処理は、ＰＬＭＮ選択と呼ばれる。この選択を行なうために、ＭＳ１６は、複数の利用可能なＰＬＭＮのうちＭＳ１６が接続を望む一つのＰＬＭＮに対応する識別データを含む移動体ネットワーク（すなわち、選択されたＰＬＭＮ）に、非アクセスストレータム（ＮＡＳ）シグナリングメッセージを送信する。識別データは、例えば数値であってよい。
【００２０】
ＧＳＭでは、選択されたＰＬＭＮに対応する識別データを運ぶＮＡＳシグナリングメッセージの伸長（extension）は、ロケーション更新要求メッセージ内に存在することはできない。現在、ロケーション更新要求メッセージは１８オクテットの最大長を有する。ＰＬＭＮ識別データは３オクテットの長さを有する一方で、ＮＡＳシグナリングメッセージは２０オクテットの最大長を有する。したがって、ＮＡＳシグナリングメッセージは、２オクテットだけが見捨てられる。一方、ＰＬＭＮ識別データは３オクテットの長さを有する。この長さの制限を克服するために、例えば、ＧＳＭでは、ＮＡＳシグナリングメッセージ内のスキップ指示子を利用して、ＭＳ１６が接続を望むＰＬＭＮに対応する数値を符号化する。現在、スキップ指示子は、ＮＡＳシグナリングメッセージにおいては何らの機能も提供しない。スキップ指示子は、１／２オクテット（すなわち４ビット）の長さを有し、大部分のＮＡＳシグナリングメッセージに含まれている。したがって、４ビットのスキップ指示子を利用することにより、ＰＬＭＮ識別データを符号化することができる。ＰＬＭＮ識別データは、ＰＬＭＮ一覧から選択されたＰＬＭＮのポジションを移動体ネットワークに指示する０から１５の範囲の数（すなわち、数値識別情報）に対応する。より具体的には、スキップ指示子は、情報を、ＭＳ１６から、ＭＳ１６が接続を望む、複数のＰＬＭＮから選択された一つのＰＬＭＮの識別情報に関連する情報を有する移動体ネットワークへ運ぶ。上に議論したスキップ指示子の機能は、ＭＳ１６から移動体ネットワークへ、または移動体ネットワークからＭＳ１６へスキップ指示子が利用される得る様々な方法の一例である。
【００２１】
図３に、無線アクセスネットワーク（ＲＡＮ）部分３１だけが共有されたネットワーク共有に対するアーキテクチャ３０を図示する。無線アクセスネットワーク部分３１は、移動局（ＭＳ）１６から音声呼とデータ呼を送受信するための複数のベーストランシーバ基地局（ＢＴＳ）（明示せず）と、例えば、無線ネットワーク制御装置（ＲＮＣ）または基地局制御装置（ＢＳＣ）のような制御装置３２とを含む。例えばオペレータＡ  ３４、オペレータＢ  ３６、オペレータＣ  ３８のような複数のオペレータ３４、３６、３８は、ＲＡＮ３１内の制御装置３２に接続される。オペレータ３４、３６、３８は、ＰＬＭＮによりサーブされる地理的なエリアにおける加入者に移動通信サービスを提供する。その結果、オペレータＡ  ３４はＰＬＭＮ  Ａに対応し、オペレータＢ  ３６はＰＬＭＮ  Ｂに対応し、オペレータＣ  ３８はＰＬＭＮ  Ｃに対応する。
【００２２】
共有ＲＡＮ部分３１は、例えばＭＳ１６を含むＲＡＮ部分３１の範囲内の任意の移動局にＢＣＣＨ上で同報情報を送信する。同報情報は、複数のＰＬＭＮ  ３４、３６、３８に関連する情報を含むことができる。より具体的には、同報情報は、複数の様々な方法で（例えば、同報情報で）ＭＳ１６により受信され得るか、あるいはシグナリングを介してＭＳ１６に直接に送信され得る、ＰＬＭＮ一覧を含むことができる。
【００２３】
別の実施例では、同報情報は、複数のＰＬＭＮ  ３４、３６、３８の特定のＰＬＭＮをサーブするオペレータに対応する数値識別情報を含むことができる。例えば、オペレータＡ  ３４は数値０に対応し、オペレータＢ  ３６は数値５に対応し、オペレータＣ  ３８は数値７に対応してよい。ＭＳ１６は、関連するＰＬＭＮをサーブするオペレータに対応する数値を提供することにより選択を実行する。ＭＳ１６は、ＭＳ１６が接続を望む、複数の利用可能なオペレータから選択された一つのオペレータに対応する識別データ（例えば、数値）を含む非アクセスストレータム（ＮＡＳ）シグナリングメッセージを、制御装置３２に送信する。ＭＳ１６は、関連するＰＬＭＮの順序位置により、あるいは選択されたオペレータに関連する特定の数値により選択されたオペレータを指示することができる。
【００２４】
図４に、図３に関し議論したＭＳ１６と移動体ネットワーク４０１間のシグナルフローを図示する。移動体ネットワーク４０１は、複数のＰＬＭＮに関連する情報を含む同報情報（４０２）をＭＳ１６に送信する。より具体的には、同報情報４０２はＰＬＭＮ一覧を含むことができる。ＭＳ１６は、ＰＬＭＮ一覧から一つのＰＬＭＮを選択することを要求される。別の手法では、ＰＬＭＮ一覧を送信する代わりに、移動体ネットワーク４０１は、特定のＰＬＭＮのＰＬＭＮコードと一緒に、複数のＰＬＭＮ  ３４、３６、３８のうちの特定のＰＬＭＮをサーブするオペレータに対応する数値識別情報を送信する。ＭＳ１６は、関連するＰＬＭＮをサーブするオペレータに対応する数値を提供することにより選択を実行する。複数の利用可能なＰＬＭＮから一つのＰＬＭＮを選択するこの処理は、ＰＬＭＮ選択（４０６）と呼ばれる。ＭＳ１６は、ＭＳ１６が接続を望む、複数の利用可能なＰＬＭＮから選択されたＰＬＭＮに対応する識別データを含む非アクセスストレータム（ＮＡＳ）シグナリングメッセージを、移動体ネットワーク４０１（ＲＮＣ／ＢＳＣ４０１）に送信する。工程４１０において、識別データは選択されたオペレータに転送される。工程４１２において、オペレータは、その要求を受理または拒絶することができる。工程４１８において、ＭＳ１６の選択が受理または拒絶されたかどうかを指示する受信通知メッセージが、移動体ネットワーク４０１（ＲＮＣ／ＢＳＣ）からＭＳ１６に送信される。
【００２５】
図５に、本発明の別の実施形態による、ネットワーク共有のアーキテクチャ５０を図示する。無線アクセスネットワーク部分６２は、移動局（ＭＳ）１６から音声呼とデータ呼を送受信するための複数のベーストランシーバ基地局（ＢＴＳ）（明示せず）と、例えば、無線ネットワーク制御装置（ＲＮＣ）または基地局制御装置（ＢＳＣ）のような複数の制御装置６４、６６、６８とを含む。アーキテクチャ５０は、例えば、ＭＳＣ／ＳＧＳＮノード（すなわち、ＳＧＳＮおよびＭＳＣ能力を有するコアネットワークノード）のような複数のノード７０、７２、７４を含むコアネットワーク部分をさらに含む。ＭＳＣ／ＳＧＳＮノード７０、７２、７４は、複数の制御装置６４、６６、６８にそれぞれ接続される。さらに、複数のノード７０、７２、７４の各自は、例えばオペレータＡ  ７６、オペレータＢ  ７８、オペレータＣ  ８０のような複数のオペレータ７６、７８、８０に接続され得る。
【００２６】
ＲＡＮ部分６２は、例えば、ＭＳ１６を含むＲＡＮ部分６２の範囲内の任意の移動局に、ＢＣＣＨ上で同報情報を送信する。同報情報は、複数のＰＬＭＮをサーブする複数のオペレータ７６、７８、８０に関連する情報を含むことができる。ＭＳ１６は、共用ネットワーク情報を復号化し、それが接続されるＭＳＣ／ＳＧＳＮノード７０、７２、７４に選択情報を送信する。この選択情報に基づいて、ＭＳＣ／ＳＧＳＮノード（７０、７２、７４）は、ＭＳ１６が接続を望む、複数のオペレータ７６、７８、８０の一つに接続する。
【００２７】
図６に、図５に関連して議論したＭＳ１６と移動体ネットワーク６０１との間のシグナルフローを図示する。移動体ネットワーク６０１は、ＭＳ１６に、複数のＰＬＭＮに関連する情報を含む同報情報（６０２）を送信する。より具体的には、同報情報６０２はＰＬＭＮ一覧を含むことができる。ＭＳ１６は、ＰＬＭＮ一覧から一つのＰＬＭＮを選択することを要求される。別の手法では、ＰＬＭＮ一覧を送信する代わりに、移動体ネットワーク６０１は、複数のＰＬＭＮ  ７６、７８、８０から特定のＰＬＭＮをサーブするオペレータに対応する数値識別情報を送信する。工程６０４において、ＭＳ１６は共用ネットワーク情報を復号化する。ＭＳ１６は、関連するＰＬＭＮをサーブするオペレータに対応する数値を提供することにより選択を実行する。複数の利用可能なＰＬＭＮから一つのＰＬＭＮを選択するこの処理は、ＰＬＭＮ選択（６０５）と呼ばれる。ＭＳ１６は、選択されたＰＬＭＮに対応する識別データを含む非アクセスストレータム（ＮＡＳ）シグナリングメッセージを、移動体ネットワーク６０１に送信する。識別データは、要求を受理または拒絶する（工程６０８）ことができる複数のＭＳＣ／ＳＧＳＮノード７０、７２、７４の少なくとも一つに転送される（工程６０６）。工程６１０では、ＭＳ１６の選択が受理または拒絶されたかどうかを指示する受信通知メッセージが、複数のＭＳＣ／ＳＧＳＮノード７０、７２、７４の少なくとも一つからＭＳ１６に送信される。
【００２８】
本発明の様々な実施形態は、選択されたＰＬＭＮのネットワーク共有機能をサポートするための手段を提供するのに役立つ。本実施形態は、さらに、相異なるシステムのために相異なる解決策を有するのではなく、むしろ今日のシステム（例えば、ＧＳＭ、ＵＭＴＳ、ＧＰＲＳ）すべてに対する共通の解決策を提供する。本発明の実施形態によると、新しいメッセージまたは情報要素を定める必要は一切ない。
【００２９】
本明細書で使用された場合、用語「含む」は、記載された機能、完全体（integers）、工程、または構成要素の存在を明示するために使用されるが、他の一つまたは複数の機能、完全体、工程、または構成要素、あるいはこれらのグループの存在または追加を排除するものではないということを強調しておかねばならない。
【００３０】
上記詳細な説明は本発明の実施形態である。本発明の範囲は、必ずしもこの説明により制限されるものではない。本発明の範囲はむしろ、特許請求の範囲と、その等価物によって定義される。
【図面の簡単な説明】
【００３１】
図面の簡単な説明
【図１】ＵＭＴＳネットワークに結び付けられた（interfaced with）ＧＳＭネットワークを図示するブロック図である。
【図２】移動局（ＭＳ）を図示するブロック図である。
【図３】本発明の実施形態による、ネットワーク共有のためのアーキテクチャを図示する。
【図４】図３に対応する移動局と移動体ネットワーク間のシグナルフローである。
【図５】本発明の別の実施形態による、ネットワーク共有のためのアーキテクチャを図示する。
【図６】図５に対応する移動局と移動体ネットワーク間のシグナルフローである。
【図１】
2007531359.tif 000003
【図２】
2007531359.tif 000004
【図３】
2007531359.tif 000005
【図４】
2007531359.tif 000006
【図５】
2007531359.tif 000007
【図６】
2007531359.tif 000008
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
共有基地局（３２）を介して利用可能な複数の公衆陸上移動体ネットワーク（ＰＬＭＮ）（３４、３６、３８）から一つのＰＬＭＮを選択する方法であって、
前記共有基地局を介して利用可能な前記複数のＰＬＭＮに関連する情報をアクセスネットワーク（３１）により送信する工程と、
前記共有基地局を介して利用可能な前記複数のＰＬＭＮに関連する前記情報を移動局（１６）において受信する工程と、
前記移動局により、前記共有基地局を介して利用可能な前記複数のＰＬＭＮの一つを選択する工程と、
前記移動局により、前記選択されたＰＬＭＮの識別子を含む非アクセスストレータム（ＮＡＳ）シグナリングメッセージ（４１０）を、前記アクセスネットワークへ送信する工程と、を含む方法。
【請求項２】
前記選択されたＰＬＭＮの前記識別子は、前記ＮＡＳシグナリングメッセージ内のスキップ指示子において数値として符号化される、請求項１に記載の方法。
【請求項３】
前記スキップ指示子は４ビットの長さを含む、請求項２に記載の方法。
【請求項４】
前記複数のＰＬＭＮに関連する前記情報は、前記共有基地局を介して利用可能なＰＬＭＮの一覧を含む、請求項１に記載の方法。
【請求項５】
前記アクセスネットワーク内の複数の共有基地局は、前記複数の共有基地局のそれぞれを介して利用可能な複数の付随のＰＬＭＮに関連する情報を送信し、
ＰＬＭＮを選択する前記工程は、
前記複数の共有基地局から一つの共有基地局を選択することと、
前記選択された共有基地局に付随するＰＬＭＮを選択することと、を含む、
請求項１に記載の方法。
【請求項６】
前記情報は報知チャネル（ＢＣＣＨ）を介して前記ＭＳに送信される、請求項５に記載の方法。
【請求項７】
前記情報は、シグナリングにより直接、前記ＭＳに送信される、請求項５に記載の方法。
【請求項８】
前記アクセスネットワークはＧＳＭネットワークを含む、請求項１に記載の方法。
【請求項９】
前記アクセスネットワークはＵＭＴＳネットワークを含む、請求項１に記載の方法。
【請求項１０】
前記ＮＡＳシグナリングメッセージはロケーション更新要求メッセージである、請求項１に記載の方法。
【請求項１１】
前記ＮＡＳシグナリングメッセージはタスク生成要求メッセージである、請求項１に記載の方法。
【請求項１２】
前記ＮＡＳシグナリングメッセージはルーティングエリア更新要求メッセージである、請求項１に記載の方法。
【請求項１３】
共有基地局（３２）を介して利用可能な複数の公衆陸上移動体ネットワーク（ＰＬＭＮ）（３４、３６、３８）から一つのＰＬＭＮを選択する無線装置であって、
前記共有基地局を介して利用可能な前記複数のＰＬＭＮに関連する情報をアクセスネットワークから受信する無線受信機（２１４）と、
前記共有無線アクセスネットワークを介して利用可能な前記複数のＰＬＭＮから一つのＰＬＭＮを選択する手段（２０２）と、
前記選択されたＰＬＭＮの識別子を含む非アクセスストレータム（ＮＡＳ）シグナリングメッセージ（４１０）を、前記アクセスネットワークへ送信する送信機（２１２）と、を含む、無線装置。
【請求項１４】
前記選択されたＰＬＭＮの前記識別子は、前記ＮＡＳシグナリングメッセージ内のスキップ指示子において数値として符号化される、請求項１３に記載の無線装置。
【請求項１５】
前記スキップ指示子は４ビットの長さを含む、請求項１４に記載の無線装置。
【請求項１６】
前記複数のＰＬＭＮに関連する前記情報は、前記共有基地局を介して利用可能なＰＬＭＮの一覧を含む、請求項１４に記載の無線装置。
【請求項１７】
前記無線装置は移動局である、請求項１４に記載の無線装置。
【請求項１８】
前記アクセスネットワーク内の複数の共有基地局は、前記複数の共有基地局のそれぞれを介して利用可能な複数の付随のＰＬＭＮに関連する情報を送信し、
ＰＬＭＮを選択するための手段は、
前記複数の共有基地局から一つの共有基地局を選択する手段と、
前記選択された共有基地局に付随するＰＬＭＮを選択する手段と、を含む、
請求項１３に記載の無線装置。
【手続補正２】
【補正対象書類名】明細書
【補正対象項目名】０００５
【補正方法】変更
【補正の内容】
【０００５】
発明の概要
一態様では、本発明は、共有基地局を介して利用可能な複数の公衆陸上移動体ネットワーク（ＰＬＭＮ）から一つのＰＬＭＮを選択する方法に関する。本方法は、共有基地局を介して利用可能な複数のＰＬＭＮに関連する情報をアクセスネットワークにより送信する工程と、共有基地局を介して利用可能な複数のＰＬＭＮに関連する情報を移動局において受信する工程と、移動局により、共有基地局を介して利用可能な複数のＰＬＭＮの一つを選択する工程と、移動局により、非アクセスストレータム（ＮＡＳ）シグナリングメッセージ内の選択されたＰＬＭＮの識別子をアクセスネットワークに送信する工程と、を含む。
【手続補正３】
【補正対象書類名】明細書
【補正対象項目名】０００６
【補正方法】変更
【補正の内容】
【０００６】
別の態様では、本発明は、共有基地局を介して利用可能な複数のＰＬＭＮから一つのＰＬＭＮを選択するための無線装置に関する。本無線装置は、共有基地局を介して利用可能な複数のＰＬＭＮに関連する情報をアクセスネットワークから受信する無線受信器と、共有基地局を介して利用可能な複数のＰＬＭＮから一つのＰＬＭＮを選択する手段と、選択されたＰＬＭＮの識別子を含むＮＡＳシグナリングメッセージをアクセスネットワークへ送信する送信機と、を含む。
【手続補正４】
【補正対象書類名】明細書
【補正対象項目名】０００８
【補正方法】変更
【補正の内容】
【０００８】
発明の例示的実施形態の詳細な説明
本発明の実施形態について、ここでは、添付の図面を参照し、さらに詳細に説明する。しかしながら、本発明は様々な様式で具現化することができ、本明細書に記載された実施形態に限定されるものではない。本発明は、あくまでも、現時点で存在する特許請求の範囲により限定されると考えるべきである。
【手続補正５】
【補正対象書類名】明細書
【補正対象項目名】００３０
【補正方法】変更
【補正の内容】
【００３０】
上記詳細な説明は本発明の実施形態である。本発明の範囲は、必ずしもこの説明によって制限されるものではない。本発明の範囲はむしろ、特許請求範囲によって定義される。
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
複数の公衆陸上移動体ネットワークＰＬＭＮ（３４、３６、３８）から一つのＰＬＭＮを選択する方法であって、
移動局（１６）が、前記複数のＰＬＭＮを含む一覧にアクセスするために共有無線アクセスネットワーク（３１）を利用する工程であって、前記複数のＰＬＭＮは、前記共有無線アクセスネットワークを介し前記移動局に利用可能である、工程と、
前記共有無線アクセスネットワークを介し利用可能な前記複数のＰＬＭＮの一つを、前記移動局が選択する工程と、
前記選択されたＰＬＭＮの識別子を含む非アクセスストレータム（ＮＡＳ）シグナリングメッセージ（４１０）を、前記移動局が前記共有無線アクセスネットワークに送信する工程と、
を含むことを特徴とする方法。
【請求項２】
前記選択されたＰＬＭＮの前記識別子は、前記ＮＡＳシグナリングメッセージ内のスキップ指示子において数値として符号化される、請求項１に記載の方法。
【請求項３】
前記スキップ指示子は４ビットの長さを含む、請求項２に記載の方法。
【請求項４】
前記選択されたＰＬＭＮの前記識別子は、前記選択されたＰＬＭＮに関連するオペレータの識別子である、請求項１に記載の方法。
【請求項５】
前記ＰＬＭＮの一覧は報知チャネル（ＢＣＣＨ）を介して前記ＭＳに送信される、請求項１に記載の方法。
【請求項６】
前記情報はシグナリングを介して前記ＭＳに直接、送信される、請求項１に記載の方法。
【請求項７】
前記共有無線アクセスネットワークはＧＳＭネットワークを含む、請求項１に記載の方法。
【請求項８】
前記共有無線アクセスネットワークはＵＭＴＳネットワークを含む、請求項１に記載の方法。
【請求項９】
前記ＮＡＳシグナリングメッセージはロケーション更新要求メッセージである、請求項１に記載の方法。
【請求項１０】
前記ＮＡＳシグナリングメッセージはアタッチ要求メッセージである、請求項１に記載の方法。
【請求項１１】
前記ＮＡＳシグナリングメッセージはルーティングエリア更新要求メッセージである、請求項１に記載の方法。
【請求項１２】
前記ＮＡＳシグナリングメッセージを前記共有無線アクセスネットワークに送信する前記工程は、
前記ＮＡＳシグナリングメッセージを無線ネットワーク制御装置に送信することと、
前記選択されたＰＬＭＮの前記識別子を前記選択されたＰＬＭＮに関連するオペレータに、前記無線ネットワーク制御装置が転送することと、
前記選択されたＰＬＭＮにアクセスすることを前記移動局に許可すべきかどうかを、前記関連するオペレータが決定することと、
を含む、請求項１に記載の方法。
【請求項１３】
前記ＮＡＳシグナリングメッセージを前記共有無線アクセスネットワークに送信する前記工程は、
前記ＮＡＳシグナリングメッセージを無線ネットワーク制御装置に送信することと、
前記選択されたＰＬＭＮの前記識別子を前記複数のＰＬＭＮにアクセスするコアネットワークノードに、前記無線ネットワーク制御装置が転送することと、
前記選択されたＰＬＭＮにアクセスすることを前記移動局に許可すべきかどうかを、前記コアネットワークノードが決定することと、
を含む、請求項１に記載の方法。
【請求項１４】
複数の公衆陸上移動体ネットワーク（ＰＬＭＮ）（３４、３６、３８）から一つのＰＬＭＮを選択する無線装置であって、
共有無線アクセスネットワークから、前記複数のＰＬＭＮを含む一覧を受信するための無線受信機（２１４）であって、前記複数のＰＬＭＮは、前記共有無線アクセスネットワークを介し前記移動局に利用可能である、無線受信機と、
前記共有無線アクセスネットワークを介し利用可能な前記複数のＰＬＭＮから一つのＰＬＭＮを選択するための手段（２０２）と、
前記選択されたＰＬＭＮの識別子を含む非アクセスストレータム（ＮＡＳ）シグナリングメッセージ（４１０）を前記共有無線アクセスネットワークへ送信するための送信機（２１２）と、
を含む無線装置。
【請求項１５】
前記選択されたＰＬＭＮの前記識別子は、前記ＮＡＳシグナリングメッセージ内のスキップ指示子において数値として符号化される、請求項１４に記載の無線装置。
【請求項１６】
前記スキップ指示子は４ビットの長さを含む、請求項１５に記載の無線装置。
【請求項１７】
前記選択されたＰＬＭＮの前記識別子は、前記選択されたＰＬＭＮに関連するオペレータの識別子である、請求項１４に記載の無線装置。
【請求項１８】
前記無線装置は移動局である、請求項１４に記載の無線装置。
【手続補正２】
【補正対象書類名】明細書
【補正対象項目名】０００４
【補正方法】変更
【補正の内容】
【０００４】
公衆陸上移動ネットワーク（ＰＬＭＮ）エリアは、特定のオペレータがユーザに移動通信サービスを提供する地理的なエリアである。ＰＬＭＮエリア内の任意の場所から、ユーザは、同じ移動体ネットワークの別のユーザへの、または別の移動体ネットワークのユーザへの呼を設定することができる。既存の標準は、移動局（ＭＳ）が、移動体ネットワークにより送信された報知チャネル（ＢＣＣＨ）の信号強度を測定することにより、該移動局をサーブする最良のＰＬＭＮを探し出すことを要求する。最新のシステムでは、移動体ネットワークの無線ネットワーク制御装置（ＲＮＣ）または基地局制御装置（ＢＳＣ）は、単一のＰＬＭＮに接続される。したがって、このようなシステムでは、ＢＣＣＨチャネルは単一のＰＬＭＮに関連する情報を含む。しかしながら、他のシステムでは、ＲＮＣ／ＢＳＣは、むしろ複数のＰＬＭＮに接続されることがある。したがって、ＢＣＣＨチャネルは、複数のＰＬＭＮに関連する情報を含むことがある。
欧州特許出願公開第１３５３５２１Ａ１号明細書は、移動局をサーブする基地局によりＰＬＭＮ表示（ＰＬＭＮ−ｉｄｓ）を同報通信する方法を開示している。移動局は、各隣接セルに対する単一のＰＬＭＮ−ｉｄを検索し、セル再選択処理中にこの情報を使用する。しかしながら、欧州特許出願公開第１３５３５２１Ａ１号明細書は、ネットワークの共有を考慮していなく、かつ、移動局をサーブする無線アクセスネットワークがいくつかのＰＬＭＮにより共有された場合にＰＬＭＮを選択するための解決策を提供しない。
「汎用移動体通信システム（ＵＭＴＳ）；アイドルモードにおける移動局（ＭＳ）に関連する非アクセスストレータム機能（３ＧＰＰ  ＴＳ  ２３．１２２  バージョン３．９．０、１９９９年リリース）」（“Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  （ＵＭＴＳ）；Ｎｏｎ−Ａｃｃｅｓｓ−Ｓｔｒａｔｕｍ  ｆｕｎｃｔｉｏｎｓ  ｒｅｌａｔｅｄ  ｔｏ  Ｍｏｂｉｌｅ  Ｓｔａｔｉｏｎ  （ＭＳ）  ｉｎ  ｉｄｌｅ  ｍｏｄｅ  （３ＧＰＰ  ＴＳ  ２３．１２２  ｖｅｒｓｉｏｎ  ３．９．０  Ｒｅｌｅａｓｅ  １９９９）”）の表題の３ＧＰＰ技術仕様は、セクション４．４においてＰＬＭＮ選択処理を網羅している。しかしながら、このＥＴＳＩ仕様はネットワークの共有を考慮していなく、移動局をサーブする無線アクセスネットワークがいくつかのＰＬＭＮに共有された場合にＰＬＭＮを選択するための解決策を提供しない。
【手続補正３】
【補正対象書類名】明細書
【補正対象項目名】０００５
【補正方法】変更
【補正の内容】
【０００５】
発明の概要
一態様では、本発明は、複数の公衆陸上移動体ネットワークＰＬＭＮから一つのＰＬＭＮを選択する方法に関する。移動局は、複数のＰＬＭＮを含む一覧にアクセスするために共有無線アクセスネットワークを利用する。複数のＰＬＭＮは、共有無線アクセスネットワークを介し移動局に利用可能である。次に、移動局は、共有無線アクセスネットワークを介し利用可能な複数のＰＬＭＮの一つを選択し、非アクセスストレータム（ＮＡＳ）シグナリングメッセージを共有無線アクセスネットワークに送信する。ＮＡＳシグナリングメッセージは、選択されたＰＬＭＮの識別子を含む。
【手続補正４】
【補正対象書類名】明細書
【補正対象項目名】０００６
【補正方法】変更
【補正の内容】
【０００６】
別の態様では、本発明は、複数のＰＬＭＮから一つのＰＬＭＮを選択するための無線装置に関する。この無線装置は、共有無線アクセスネットワークから複数のＰＬＭＮを含む一覧を受信するための無線受信機を含む。複数のＰＬＭＮは、共有無線アクセスネットワークを介し移動局に利用可能である。この無線装置は、また、共有無線アクセスネットワークを介して利用可能な複数のＰＬＭＮから一つのＰＬＭＮを選択するための手段と、ＮＡＳシグナリングメッセージを共有無線アクセスネットワークに送信するための送信機とを含む。ＮＡＳシグナリングメッセージは、選択されたＰＬＭＮの識別子を含む。
【国際調査報告】
2007531359.tif 000009
2007531359.tif 000010
2007531359.tif 000011